(57)【要約】【課題】風等による化粧鎖の揺れを抑えて外壁及び化粧鎖の損傷を防止する竪樋用化粧鎖を提供することを目的とする。【解決手段】竪樋用化粧鎖３５は複数の化粧鎖３６が鎖吊具３７を介して連結される。鎖吊具３７は第一垂直材３７ａとこの第一垂直材３７ａを挟む一対の第二垂直材３７ｂとが水平材３７ｃで連結されて略Ｙ字形状に形成される。第一垂直材３７ａの下端部に第一垂直材の中心軸に沿ってスリット３７ｅと前記下端部の周縁に突出して係止片３７ｆから成る第一係止部３８が形成される。第二垂直材３７ｂの上端部に第二係止部３９を備える。第一係止部３８を保持する第一保持部４０はスリーブ状で支持材４１を介して化粧鎖３６の中心部に設けられる。第二垂直材３７ｂを保持する一対の第二保持部４２が化粧鎖３６の内側面３６ａに二組のアングル材４３で形成される。【選択図】図２
2008180026.tif 000002
【特許請求の範囲】
【請求項１】
筒形状の竪樋に連結される竪樋用化粧鎖であって、
前記竪樋用化粧鎖は複数の筒形状の化粧鎖が鎖吊具を介して連結され、
前記鎖吊具は第一垂直材と一対の第二垂直材とが水平材で連結されて略Ｙ字形状に形成され、前記第一垂直材の下端部に第一垂直材の中心軸に沿ってスリットと前記下端部の周縁に突出して係止片が形成されて成る第一係止部と前記第二垂直材の上端部に第二垂直材から水平に突出する第二係止部とを備え、
前記第一係止部を保持するスリーブ状の第一保持部が前記化粧鎖の内側面に立設する支持材を介して前記化粧鎖の中心部に設けられ、前記第二垂直材を保持する一対の第二保持部が前記化粧鎖の内側面に立設されることを特徴とする竪樋用化粧鎖。
【請求項２】
請求項１記載の竪樋用化粧鎖であって、前記一対の第二保持部は各々対向する二組のアングル材から成ることを特徴とする竪樋用化粧鎖。
【請求項３】
請求項１記載の竪樋用化粧鎖であって、前記一対の第二保持部は各々一組のアングル材が前記化粧鎖の中心点に対して点対称に配置されて成り、前記アングル材の先端部に離脱防止片を備えることを特徴とする竪樋用化粧鎖。
【請求項４】
請求項１乃至請求項３のいずれか一項に記載の竪樋用化粧鎖であって、前記化粧鎖が円筒形状に形成されることを特徴とする竪樋用化粧鎖。
【発明の詳細な説明】
【技術分野】
【０００１】
本発明は、竪樋に化粧鎖を連結する竪樋用化粧鎖に関し、特に化粧鎖が風等による揺れによって建物に接触して建物の外壁及び化粧鎖が損傷するのを防止する竪樋用化粧鎖の構造に関する。
【背景技術】
【０００２】
従来、建物の竪樋に化粧鎖を連結して用いられる場合がある。この化粧鎖によれば、雨水が鎖を伝うようにして排水されるのを目で見て楽しむことができるので装飾性とともに詩情豊かな景観が創出できる。
【０００３】
このような化粧鎖を竪樋に連結する竪樋用化粧鎖の構成として特許文献１の方法が知られている。特許文献１によれば、図１０、図１１に示すように、化粧鎖３は筒状体１内にリブ棒９を介して中央軸材２が一体形成されている。中央軸材２は中空筒状で、その上端内周を四角形状に切欠して被嵌合部１０が形成されると共に下端外周を四角形状に切欠して嵌合部１１が形成され、嵌合部１１と被嵌合部１０とは互いに嵌合できるようになっている。
【０００４】
鎖樋押上具１２は底面に排水用孔１３を穿孔した有底筒状の基台１４内にコイルばねのような弾性体４を配装し、弾性体４の上方より基台１４内に上下に摺動自在に可動体１５が挿着される。可動体１５には縦孔１６が穿孔され、縦孔１６の上端内周には化粧鎖３の嵌合部１１と嵌合するための切欠部１７が設けられる。
【０００５】
集水器本体１８の下端には集水器アダプタ５０が嵌着され、集水器アダプタ５０の底面略中央より筒状の挿着棒部５１が垂下される。
【０００６】
組付けの手順は、化粧鎖３の中央軸材２上端の被嵌合部１０に他の化粧鎖３の中央軸材２下端の嵌合部１１を圧入して化粧鎖３を上下に多数連結され、最上方の化粧鎖３の被嵌合部１０に挿着棒部５１の下部を挿着する。
【０００７】
次に鎖樋押上具１２を地面５３に置き、基台１４に挿通した固定用ピン５４の下端を地面５３に打込んで固定し、弾性体４を押し縮めつつ可動体１５を下方に押下げ、最下方の化粧鎖３の嵌合部１１を可動体１５の切欠部１７に嵌合し、弾性体４の弾発力により最下方の化粧鎖３を押し上げて最上方の化粧鎖３を集水器本体１８に押圧する。そして、排水される雨水は中央軸材２に沿って流下する。
【０００８】
このように、筒状体１と一体成形した中央軸材２の嵌合部１１と被嵌合部１０とを嵌合させて多数の化粧鎖３を連結し、最下方の化粧鎖３を弾性体４により押上げ、最上方の化粧鎖３を集水器アダプタ５０に押圧しているので、上下に隣り合う化粧鎖３同志が互いに押圧されて上下に連結された化粧鎖３が直立支持されるので、風が吹いたりしてもぶらぶらと揺れ動くことがない。
【特許文献１】実公昭５７−３８４９１号公報
【発明の開示】
【発明が解決しようとする課題】
【０００９】
ところが、上記、竪樋用化粧鎖８の複数の化粧鎖３は筒状体１内にリブ棒９を介して中央軸材２が一体形成されているが、リブ棒９が中央軸材２の軸に対して直角に同一平面内で固着されるので、筒状体１は竪樋用化粧鎖８の縦曲げ方向に対抗する強度部材としての効果が殆ど期待できない。つまり、筒状体１は化粧鎖３全体の剛性の増加に殆ど寄与せず化粧鎖３は中央軸材２の剛性に依存する構成である。このため、強い風等が発生して竪樋用化粧鎖８に曲げモーメントが発生した場合、一連の中央軸材２は撓み易く容易に揺れて建物に接触し、建物の外壁及び化粧鎖が損傷するという問題があった。
【００１０】
そこで、本発明は、風等による化粧鎖の揺れを確実に抑えて外壁及び化粧鎖の損傷を防止する竪樋用化粧鎖を提供することを目的とする。
【課題を解決するための手段】
【００１１】
請求項１の発明は、筒形状の竪樋に連結される竪樋用化粧鎖であって、前記竪樋用化粧鎖は複数の筒形状の化粧鎖が鎖吊具を介して連結され、前記鎖吊具は第一垂直材と一対の第二垂直材とが水平材で連結されて略Ｙ字形状に形成され、前記第一垂直材の下端部に第一垂直材の中心軸に沿ってスリットと前記下端部の周縁に突出して係止片が形成されて成る第一係止部と前記第二垂直材の上端部に第二垂直材から水平に突出する第二係止部とを備え、前記第一係止部を保持するスリーブ状の第一保持部が前記化粧鎖の内側面に立設する支持材を介して前記化粧鎖の中心部に設けられ、前記第二垂直材を保持する一対の第二保持部が前記化粧鎖の内側面に立設されることを特徴としている。
【００１２】
請求項２の発明は、請求項１記載の竪樋用化粧鎖であって、前記一対の第二保持部は各々対向する二組のアングル材から成ることを特徴としている。
【００１３】
請求項３の発明は、請求項１記載の竪樋用化粧鎖であって、前記一対の第二保持部は各々一組のアングル材が前記化粧鎖の中心点に対して点対称に配置されて成り、前記アングル材の先端部に離脱防止片を備えることを特徴としている。
【００１４】
請求項４の発明は、請求項１乃至請求項３のいずれか一項に記載の竪樋用化粧鎖であって、前記化粧鎖が円筒形状に形成されることを特徴としている。
【発明の効果】
【００１５】
請求項１記載の発明によれば、前記第一垂直材の下端部をスリットによって弾性的に撓ませて直径を小さくしてスリーブ状の第一保持部に容易に挿入できる。そして、挿入後に前記第一垂直材はスリットが復帰して元の直径に復帰する。このため、組付けが容易で安定して確実に保持できる。係止片によって挿入した前記第一垂直材が離脱しないように確実に保持できる。
【００１６】
また、前記第二垂直材は一対の第二保持部で保持され、前記第二垂直材の上端部に第二係止部を備えるので、前記第二垂直材が前記化粧鎖の内側面に立設される一対の第二保持部に保持された状態で、前記第二垂直材は第二係止部によって下方向の動きが確実に規制される。
【００１７】
このため、竪樋用化粧鎖に縦曲げモーメントが掛かった場合でも、前記鎖吊具の前記第一垂直材と前記第二垂直材によって上下に連結された隣接する化粧鎖は筒形状全体が一体化した強固な構造として確実に連結されるので、筒形状の化粧鎖の剛性によって強度アップした竪樋用化粧鎖は風等による化粧鎖の揺れを抑えて外壁及び化粧鎖の損傷を防止することができる。
【００１８】
請求項２記載の発明によれば、前記一対の第二保持部は各々対向する二組のアングル材から成るので、前記第二垂直材は前記化粧鎖の内側面に沿って二組のアングル材によって確実に保持されるので、請求項１の効果と同様の効果が得られる。
【００１９】
請求項３記載の発明によれば、前記一対の第二保持部は各々一組のアングル材が前記化粧鎖の中心点に対して点対称に配置されるので、鎖吊具を回転するだけで前記第二垂直材は第二保持部に容易に取付保持される。また、保持された前記第二垂直材は前記アングル材の先端部に備える離脱防止片によって離脱することがない。このため、請求項１の効果と同様の効果が得られる。
【００２０】
請求項４記載の発明によれば、前記化粧鎖が円筒形状に形成されるので、円筒形状の竪樋用として汎用性に優れるためコストを下げることができる。
【発明を実施するための最良の形態】
【００２１】
＜竪樋用化粧鎖の構成＞
以下に、本発明の第一の実施形態を図１〜図８に基づいて説明する。
【００２２】
図１、図２、図３（ａ）、（ｂ）、図４（ａ）、（ｂ）、に示すように、筒形状の竪樋３１は上方の図示しない屋根の軒樋から下垂され、竪樋３１は内径Ｑで側面３１ａの板厚Ｐである。竪樋３１の下端部近傍は控金具３２を用いて建物３３に固着され、控金具３２は建物３３にネジ等で固着するためのアンカー部３２ａと、竪樋３１を受けて固定するための受部３２ｂとバンド部３２ｃとから成る。
【００２３】
そして、竪樋用化粧鎖３５が複数の化粧鎖３６を鎖吊具３７を介して連結形成される。化粧鎖３６は竪樋３１と同じ形状の円筒形で、高さＨ、内径Ｑ、板厚Ｐである。
【００２４】
最上部の化粧鎖３６は竪樋用化粧鎖取付具２３を介して竪樋３１と連結される。竪樋用化粧鎖取付具２３は垂直に設けられた円筒形状の竪樋３１に嵌入される本体部２０と、この本体部２０に保持されて化粧鎖３６を吊下げる吊具２１とで形成される。なお、好ましくは、竪樋用化粧鎖取付具２３は外部者の手が届かない高さ位置に設けられる。
【００２５】
また、連結された竪樋用化粧鎖３５の最下部の化粧鎖３６は地面２５内に設けた排水管２６を覆って設けられる排水管カバー２７内に納められる。
【００２６】
鎖吊具３７は第一垂直材３７ａと一対の第二垂直材３７ｂとが水平材３７ｃで連結されて略Ｙ字形状に形成される。第一垂直材３７ａは直径Ｓ、長さＨである。第二垂直材３７ｂは高さＨ１で厚さＳ１、幅Ｔの矩形断面である。水平材３７ｃは厚さＨ２、幅Ｔ１の矩形断面で長さＳ２である。なお、幅Ｔ＝幅Ｔ１で、第一垂直材３７ａの中心３７ｄは竪樋用化粧鎖３５の中心３５ａと一致する。
【００２７】
第一垂直材３７ａの下端部に第一垂直材の中心軸に沿ってスリット３７ｅと前記下端部の周縁に突出して係止片３７ｆから成る第一係止部３８が形成される。係止片３７ｆは直径Ｓ３、厚さＨ３で周縁にテーパー３７ｇを備える。また、第二垂直材３７ｂの上端部に第二垂直材３７ｂから水平に突出する幅Ｓ１、長さＴ２、高さＨ５の直方体形状の第二係止部３９を備える。
【００２８】
第一係止部３８を保持する第一保持部４０は高さＨ６、内径Ｓ４、厚さＳ５のスリーブ状に形成され、化粧鎖３６の内側面３６ａに立設する支持材４１（高さＨ６、厚さＳ６）を介して化粧鎖３６の中心部に設けられる。
【００２９】
ここで、第一垂直材３７ａの第一係止部３８をテーパー３７ｇに沿って第一保持部４０に容易に圧入できるように、直径Ｓ＝内径Ｓ４、スリット３７ｅの幅Ｇは、幅Ｇ＝（直径Ｓ３−直径Ｓ）に設定される。
【００３０】
さらに、第二垂直材３７ｂを保持する一対の第二保持部４２が化粧鎖３６の内側面３６ａに立設される。第二保持部４２は二組のアングル材４３（高さＧ１、フランジ幅Ｇ２、長さＧ３）が間隔Ｇ４でフランジを内向きに対向して形成される。このため、上記、第二垂直材３７ｂの上端部に第二垂直材３７ｂから水平に突出する第二係止部３９によって、第二垂直材３７ｂを第二保持部４２で確実に保持できる。
【００３１】
化粧鎖３６と鎖吊具３７の一対の第二垂直材３７ｂとの連結手順は、図５（ａ）に示すように、まず、一対の第二垂直材３７ｂを第二保持部４２に干渉しない位置で鎖吊具３７の下方から挿入（矢印Ｆ２）する。
【００３２】
次に、第二垂直材３７ｂが第二保持部４２の上方に位置するように回転（矢印Ｆ１）する。そして、図５（ｂ）に示すように、鎖吊具３７を引き下げる（矢印Ｆ３）ことにより第二垂直材３７ｂを第二保持部４２に容易に挿入して連結することができる。
【００３３】
ここで、第二垂直材３７ｂが所定の位置まで回転自在となるように、第一係止部３８と第二保持部４２との垂直方向の間隔Ｈ７と、係止片３７ｆの厚さＨ３と、水平材３７ｃの厚さＨ２との関係は、Ｈ７＞（Ｈ３＋Ｈ２）で形成される。
【００３４】
図６、図７に示すように、竪樋用化粧鎖取付具２３の本体部２０は外直径Ｑ１、内直径Ｑ２の円筒形状で下端部にフランジ２０ａが設けられ、フランジ２０ａから上端部２０ｄまでの全高さＨ１で、内側面２０ｂに対向して一対の垂直な矩形断面の溝部２０ｃを備える。また、上端部２０ｄの一対の溝部２０ｃの中間部に一対の凹部２０ｅが形成される。
【００３５】
そして、フランジ２０ａの本体部２０からの突出長さＰ１は竪樋３１の板厚Ｐと同じ長さで、本体部２０の外直径Ｑ１は竪樋３１の内径Ｑと同じ長さに形成される。
【００３６】
吊具２１は漏斗状（側面視で円錐台形）で、狭口部としての下端部２１ａの周縁の対向する二点２１ｂを連結棒２１ｃで連結して化粧鎖３６用の係止部２１ｄとする。係止部２１ｄは半円弧状に形成され、この吊具２１の下端部途中には、第一垂直材３７ａと同様に垂直部材２２が第一係止部３８を備えて長さＨ８で固着される。
【００３７】
また、吊具２１の広口部側である上端部２１ｅにフランジ２１ｆを備えるとともに、このフランジ２１ｆの対向する位置に一対の突起２１ｇをフランジ２１ｆから突出して設ける。
【００３８】
ここで、吊具２１のフランジ２１ｆの外直径Ｑ３と本体部２０の内直径Ｑ２は同じ長さに形成され、溝部２０ｃと突起２１ｇは同形状に形成される。そして、吊具２１は矢印Ｋで示すように本体部２０に挿入される。
【００３９】
図８（ａ）、（ｂ）、（ｃ）に示すように、吊具２１は一対の突起２１ｇが本体部２０の一対の溝部２０ｃに沿ってスライドして本体部２０に挿入された後、本体部２０の上端部２０ｄに沿って回転して、上端部２０ｄの溝部２０ｃが形成されていない位置に形成された一対の凹部２０ｅ内に保持される。
【００４０】
突起２１ｇは吊具２１や化粧鎖３６の自重によって下方に作用されるので凹部２０ｅに安定して保持することができる。
【００４１】
そして、吊具２１の突起２１ｇは外部者の重力を支えるだけの強度を保持せず、例えば、外部者の重力を６０Ｋｇとしてその１／３の２０Ｋｇに耐える強度に設定される。
【００４２】
なお、上記、本体部２０の外直径Ｑ１は竪樋３１の内径Ｑと同じ長さに形成されるので本体部２０は竪樋３１に嵌入するだけで固着されるが、好ましくは接着剤も用いられる。
【００４３】
化粧鎖３６、鎖吊具３７、竪樋用化粧鎖取付具２３等の材料はアクリル系樹脂や硬質塩化ビニール樹脂等の合成樹脂又はステンレス材等が用いられる。
＜竪樋用化粧鎖の作用＞
【００４４】
上記のように、鎖吊具３７は第一垂直材３７ａと一対の第二垂直材３７ｂとが水平材３７ｃで連結されて略Ｙ字形状に形成され、第一垂直材３７ａの第一係止部３８を第一保持部４０によって保持できる。このとき、第一保持部４０が長い筒状なので第一垂直材３７ａを確実に安定して保持できるとともに支持材４１を介して化粧鎖３６の上部と一体的な構造となる。さらに、第二垂直材３７ｂが一対の第二保持部４２で保持されて化粧鎖３６の下部と確実に一体的な構造となる。
【００４５】
このため、化粧鎖３６と第一垂直材３７ａは交互に一体的に連結された構造となる。そして、化粧鎖３６自体は第一垂直材３７ａの中心軸から遠く離れて位置するので、化粧鎖３６の断面係数は第一垂直材３７ａの断面係数より十分大きくなるので、竪樋用化粧鎖３５の剛性は著しく高くなるとともにその横方向の撓みは従来例のような構成に比べてかなり減少する。
【００４６】
このため、鎖吊具３７によって上下に連結された隣接する化粧鎖３６は筒形状全体が強固に一体化した竪樋用化粧鎖３５となるので、風等による化粧鎖の揺れを抑えて外壁及び化粧鎖の損傷を防止することができる。
【００４７】
外部者が化粧鎖３６を伝って二階のベランダ等に侵入しようとした際には、吊具２１の突起２１ｇが外部者の重力を支えるだけの強度を保持しないので吊具２１が本体部２０から外れるので外部者の侵入を防ぐことができる。このとき、各々の第二垂直材３７ｂが第二保持部４２から相対的に浮き上がって離脱する方向にスライドするので吊具２１は本体部２０から容易に外れる。
【００４８】
また、吊具２１が漏斗状なので雨水を各化粧鎖３６の中心部にガイドして確実に集めることができるので雨水は鎖吊具３７に沿って流れるので飛散を防ぐことができる。
＜本発明の第二の実施形態＞
【００４９】
本発明の第二の実施形態の竪樋用化粧鎖３５ｂを図９を用いて説明するが、図４（ｂ）に示す化粧鎖３６の構成と同構成部分については、図面に同符号を付して重複した説明を省略し、図１〜図３、図４（ａ）、図６〜図８に示す竪樋用化粧鎖３５の構成とは全く同じであるのでその説明および図面を省略する。
【００５０】
図９（ａ）、（ｂ）に示すように、一対の第二保持部４２ａは各々一組のアングル材４３ａが化粧鎖３６の中心点３６ｂに対して点対称に配置される。
【００５１】
一対の第二垂直材３７ｂを回転（矢印Ｆ４）することにより第二保持部４２ａに容易に挿入できる。また、アングル材４３ａの先端部には離脱防止片４５を備えるので、挿入された第二垂直材３７ｂは離脱することがなく化粧鎖３６とを確実に連結することができる。
【００５２】
このため、本発明の第一の実施形態に比べて鎖吊具３７の取付けが更に簡単になるので作業の省力化が図れる。
【００５３】
以上、本発明の実施例を図面に基づいて説明したが、具体的な構成はこの実施例に限られるものではなく本発明の要旨を逸脱しない範囲の設計変更等があっても本発明に含まれる。
【００５４】
たとえば、第一垂直材３７ａを第一保持部４０にさらに挿入容易とするために、第一垂直材３７ａの下端部の周縁に突出して設けられる係止片３７ｆは、スリット３７ｅに対して直角な領域を若干削っても構わない。
【００５５】
化粧鎖３６が風等で揺れるのを更に確実に防止するために最下部の化粧鎖３６を排水管カバー２７内で固定しても構わない。
【００５６】
竪樋用化粧鎖３５は他の筒形状の竪樋に用いることも可能で、たとえば、矩形筒形状の竪樋に化粧鎖を連結する構成でも構わない。この場合、本体部２０は矩形筒形状で吊具２１は外観が略四角錐台形の漏斗状となる。
【図面の簡単な説明】
【００５７】
【図１】本発明の第一の実施形態における、竪樋３１と化粧鎖３６の組付け状態を示す側面図である。
【図２】本発明の第一の実施形態における、図１のＡ部の透視側面図である。
【図３】本発明の第一の実施形態における、（ａ）は鎖吊具３７の正面図、（ｂ）は鎖吊具３７の平面図である。
【図４】本発明の第一の実施形態における、（ａ）は図２のＣ−Ｃ断面図、（ｂ）は図２のＤ−Ｄ断面図である。
【図５】本発明の第一の実施形態における、鎖吊具３７を化粧鎖３６に連結する手順を示す、（ａ）は化粧鎖３６に鎖吊具３７を挿入して回転する状態を示す透視側面図、（ｂ）は挿入した鎖吊具３７を回転した後に引き下げて第二垂直材３７ｂを第二保持部４２に挿入する状態を示す透視側面図である。
【図６】本発明の第一の実施形態における、図１のＢ部の透視側面図である。
【図７】本発明の第一の実施形態における、竪樋用化粧鎖取付具２３の本体部２０と吊具２１の分解詳細斜視図である。
【図８】本発明の第一の実施形態における竪樋用化粧鎖取付具２３の、（ａ）は本体部２０に吊具２１を挿入する状態を示す斜視図、（ｂ）は本体部２０に吊具２１が挿入された状態を示す斜視図、（ｃ）は本体部２０に対して吊具２１を９０度回転して吊具２１の突起２１ｇが本体部２０の凹部２０ｅに保持された状態を示す斜視図である。
【図９】本発明の第二の実施形態における第二保持部４２ａのアングル材４３ａに対して、（ａ）は鎖吊具３７を回転して第二垂直材３７ｂを第二保持部４２ａに挿入する状態を示す平面図、（ｂ）は第二垂直材３７ｂが第二保持部４２ａに挿入された状態を示す平面図である。
【図１０】従来例における、竪樋用の化粧鎖３の取付側面図である。
【図１１】従来例における、図１０の化粧鎖３の詳細斜視図である。
【符号の説明】
【００５８】
３５  竪樋用化粧鎖
３６  化粧鎖
３６ａ  内側面
３７  鎖吊具
３７ａ  第一垂直材
３７ｂ  第二垂直材
３７ｃ  水平材
３７ｅ  スリット
３７ｆ  係止片
３８  第一係止部
３９  第二係止部
４０  第一保持部
４１  支持材
４２  第二保持部
４３  アングル材
【図１】
2008180026.tif 000003
【図２】
2008180026.tif 000004
【図３】
2008180026.tif 000005
【図４】
2008180026.tif 000006
【図５】
2008180026.tif 000007
【図６】
2008180026.tif 000008
【図７】
2008180026.tif 000009
【図８】
2008180026.tif 000010
【図９】
2008180026.tif 000011
【図１０】
2008180026.tif 000012
【図１１】
2008180026.tif 000013